(57)【要約】【課題】印刷装置設定データの変換の処理時間を活用してプリレンダリングを行うことにより、印刷指示から印字出力までの全体の所要時間を短縮する。【解決手段】印刷ジョブ定義データに含まれる印刷ジョブ仕様データ又は印刷ジョブ設定データを、印刷装置２０を設定するために必要な印刷装置設定データに変換する設定データ変換部１２と、設定データ変換部１２において、印刷ジョブ定義データを印刷装置設定データに変換した後に、この印刷装置設定データが標準印刷装置設定データに適合しているかを判断するために参照する標準印刷装置設定データを格納している標準設定データベース１３ａと、設定データ変換部１２による変換処理と並行して、前記標準印刷装置設定データ１３ｂに基づいて、レンダリング処理を実行するプリレンダリング部１５とを備える。【選択図】図１
2008204030.tif 000002
【特許請求の範囲】
【請求項１】
印刷ジョブ定義データに含まれる印刷ジョブ仕様データ又は印刷ジョブ設定データを、
印刷装置を設定するために必要な印刷装置設定データに変換する設定データ変換部と、
前記設定データ変換部において、前記印刷ジョブ定義データを前記印刷装置設定データ
に変換した後に、当該印刷装置設定データと比較するための標準印刷装置設定データを格
納している標準設定データベースと、
前記設定データ変換部による変換処理と並行して、前記標準印刷装置設定データに基づ
いて、レンダリング処理を実行するプリレンダリング部と、
を備えたことを特徴とする印刷制御システム。
【請求項２】
前記設定データ変換部による変換結果が、前記標準印刷装置設定データに適合している
か否かを判定する標準設定判定部をさらに備えたことを特徴とする請求項１に記載の印刷
制御システム。
【請求項３】
前記標準設定判定部により前記設定データ変換部による変換結果が標準設定に適合して
いると判定された場合、前記プリレンダリング部によってレンダリングされたコンテンツ
データと、変換後の印刷装置設定データとを前記印刷装置に送る制御部をさらに備えたこ
とを特徴とする請求項２に記載の印刷制御システム。
【請求項４】
前記制御部は、前記標準設定判定部により前記設定データ変換部による変換結果が標準
設定に適合していないと判定された場合、前記プリレンダリング処理部により、前記設定
データ変換部によって変換された印刷装置設定データに基づいてレンダリング処理を実行
し、このレンダリング処理によって得られたコンテンツデータと、変換後の印刷装置設定
データとを前記印刷装置に送ることを特徴とする請求項３に記載の印刷制御システム。
【請求項５】
前記プリレンダリング部によるレンダリング処理結果を保存するレンダリング済みデー
タ保存部をさらに備えたことを特徴とする請求項１〜４のいずれか１項に記載の印刷制御
システム。
【請求項６】
前記プリレンダリング部におけるレンダリングの処理結果と、利用者が選択した印刷装
置設定データとの内容が異なる場合には、前記レンダリング済みデータ保存部に保存され
ているプリレンダリングの処理結果を再利用することを特徴とする請求項５に記載の印刷
制御システム。
【請求項７】
前記プリレンダリングの処理結果を再利用する場合、拡大又は縮小を可能にするために
、入力される印刷ジョブ定義データの仕上がりサイズに適合した解像度を確保しておくこ
とを特徴とする請求項６に記載の印刷制御システム。
【請求項８】
前記設定データ変換部は、所定の変換ルールに基づいて、決定的変換を実行する変換処
理又は推論変換を実行する変換処理のいずれか、あるいは、その両方を用いて変換するこ
とを特徴とする請求項１〜７のいずれか１項に記載の印刷制御システム。
【請求項９】
印刷ジョブ定義データに含まれる印刷ジョブ仕様データ又は印刷ジョブ設定データを、
印刷装置を設定するために必要な印刷装置設定データに変換する設定データ変換ステップ
と、
前記設定データ変換ステップにおいて、前記印刷ジョブ定義データを前記印刷装置設定
データに変換した後に、当該印刷装置設定データと比較するための標準印刷装置設定デー
タを標準設定データベースに格納する格納ステップと、
前記設定データ変換ステップによる変換処理と並行して、前記標準印刷装置設定データ
に基づいて、レンダリング処理を実行するプリレンダリングステップと、
を含むことを特徴とする印刷制御方法。
【請求項１０】
印刷ジョブ定義データに含まれる印刷ジョブ仕様データ又は印刷ジョブ設定データを、
印刷装置を設定するために必要な印刷装置設定データに変換する設定データ変換ステップ
、
前記設定データ変換ステップにおいて、前記印刷ジョブ定義データを前記印刷装置設定
データに変換した後に、当該印刷装置設定データと比較するための標準印刷装置設定デー
タを標準設定データベースに格納する格納ステップ、及び
前記設定データ変換ステップによる変換処理と並行して、前記標準印刷装置設定データ
に基づいて、レンダリング処理を実行するプリレンダリングステップとして実現される処
理をコンピュータに実行させることを特徴とする印刷制御プログラム。
【請求項１１】
印刷ジョブ定義データに含まれる印刷ジョブ仕様データ又は印刷ジョブ設定データを、
印刷時に必要な印刷装置設定データに変換する設定データ変換部と、
前記設定データ変換部において、前記印刷ジョブ定義データを前記印刷装置設定データ
に変換した後に、当該印刷装置設定データと比較するための標準印刷装置設定データを格
納している標準設定データベースと、
前記設定データ変換部による変換処理と並行して、前記標準印刷装置設定データに基づ
いて、レンダリング処理を実行するプリレンダリング部と、
前記印刷装置設定データに基づいて実際に印刷を行う印刷部と、
を備えたことを特徴とする印刷システム。
【発明の詳細な説明】
【技術分野】
【０００１】
本発明は、印刷ジョブ定義データを印刷装置設定データに変換する印刷制御システム、
印刷制御方法、印刷制御プログラム、印刷システムに関する。
【背景技術】
【０００２】
一般に、ページ記述言語（ＰＤＬ：Ｐａｇｅ  Ｄｅｓｃｒｉｐｔｉｏｎ  Ｌａｎｇｕａ
ｇｅ）による印刷データを印刷する際、印刷ジョブに関する情報を印刷ジョブ定義データ
（ＪＤＦ：Ｊｏｂ  Ｄｅｆｉｎｉｔｉｏｎ  Ｆｏｒｍａｔ）として扱い、この印刷ジョブ
定義データを印刷装置設定用の印刷装置設定データに変換し、この印刷設定要求を受け取
ってから印刷を行う方法が知られている。
すなわち、印刷ジョブ定義データは、印刷ジョブ仕様データと印刷ジョブ設定データと
からなり、印刷ジョブ仕様データは、印刷仕様情報ともいい、印刷処理によって最終成果
物として所望する印刷物の仕様が記載された情報を言う。従って、この印刷ジョブ定義デ
ータを印刷装置用の設定データとしての印刷装置設定データに変換する必要がある。この
場合、制御コード（ＰＪＬ（Ｐｒｉｎｔｅｒ  Ｊｏｂ  Ｌａｎｇｕａｇｅ）など）や、ペ
ージ記述言語（ＰＤＬ（Ｐａｇｅ  Ｄｅｓｃｒｉｐｔｉｏｎ  Ｌａｎｇｕａｇｅ））（代
表的なものは、Ｐｏｓｔ  Ｓｃｒｉｐｔなど）等の手段により、印刷装置の設定が可能に
なっている。
【０００３】
このような印刷装置設定データへの変換手段を有する発明として、特許文献１記載の発
明は、印刷制御装置のＰＤＬ処理手段が処理できるＰＤＬ以外の形式で表されたデータに
従って、印刷制御装置のＰＤＬ処理手段の内部状態を設定可能とするもので、クライアン
ト装置は、既存のＰＤＬデータに対し、新たな印刷設定を示したＤＰＡデータを付加した
ジョブをプリントサーバに送信する。プリントサーバのコントローラは、ジョブからＤＰ
Ａデータを抽出しＤＰＡ変換部に入力する。ＤＰＡ変換部は、ＤＰＡデータをＰＤＬのデ
ータに変換してＰＤＬインタプリタに入力する。ＰＤＬインタプリタは、データを解釈し
て自らの内部状態を設定する。ＰＤＬインタプリタがデータの解釈を完了すると、コント
ローラがＰＤＬデータをＰＤＬインタプリタに入力する。この結果、ＰＤＬデータはＤＰ
Ａデータの設定に基づいて処理されるという装置である。
【特許文献１】特開平１０−１２４２７２号公報
【発明の開示】
【発明が解決しようとする課題】
【０００４】
しかしながら、上述した特許文献１記載の装置のように、従来の印刷制御装置には、印
刷ジョブ定義データを印刷装置設定データに変更した後に、ラスタライズ処理が順次実行
される仕組みしかなかった。この結果、印刷装置設定データ変換の処理時間に多くの時間
を必要とする場合には、さらにその後のラスタライズ等の処理時間を必要とするため、印
刷指示から印字出力までの所要時間が長くなるという課題があった。
本発明は、上述した事情を鑑みてなされたものであって、印刷装置設定データの変換の
処理時間を活用してプリレンダリングを行うことにより、印刷指示から印字出力までの全
体の所要時間を短縮した印刷制御システム、印刷制御方法、印刷制御プログラム、印刷シ
ステムを提供することを目的としている。
【課題を解決するための手段】
【０００５】
〔形態１〕  上記目的を達成するために、形態１の印刷制御システムは、
印刷ジョブ定義データに含まれる印刷ジョブ仕様データ又は印刷ジョブ設定データを、
印刷装置を設定するために必要な印刷装置設定データに変換する設定データ変換部と、
前記設定データ変換部において、前記印刷ジョブ定義データを前記印刷装置設定データ
に変換した後に、当該印刷装置設定データと比較するための標準印刷装置設定データを格
納している標準設定データベースと、
前記設定データ変換部による変換処理と並行して、前記標準印刷装置設定データに基づ
いて、レンダリング処理を実行するプリレンダリング部と、
を備えたことを特徴とする。
【０００６】
この構成によれば、設定データ変換部により、印刷ジョブ定義データに含まれる印刷ジ
ョブ仕様データ又は印刷ジョブ設定データを、印刷装置を設定するために必要な印刷装置
設定データに変換し、前記印刷ジョブ定義データを前記印刷装置設定データに変換する際
に、標準設定データベースに格納されている標準印刷装置設定データを参照し、プリレン
ダリング部により、前記設定データ変換部による変換処理と並行して、前記標準印刷装置
設定データに基づいて、レンダリング処理を実行するので、印刷装置設定データの変換の
処理時間を活用してプリレンダリングを行うことができ、これにより、印刷指示から印字
出力までの全体の所要時間を短縮することができるという効果が得られる。
なお、「プリレンダリング」とは、通常のレンダリング処理を行う前のデータ変換処理
の際に、標準印刷装置設定データを用いて予めレンダリング処理を行うという意味である
（以下の説明において、同様である）。
【０００７】
〔形態２〕  形態２の発明は、形態１の印刷制御システムに係り、
前記設定データ変換部による変換結果が、前記標準印刷装置設定データに適合している
か否かを判定する標準設定判定部をさらに備えたことを特徴とする。
この構成によれば、標準設定判定部により、前記設定データ変換部による変換結果が、
前記標準印刷装置設定データに適合しているか否かを判定するので、プリレンダリング処
理の結果を活用するか、新しくレンダリング処理をするかの方針がいち早く決まり、以降
の処理を円滑に行うことができるという効果が得られる。
【０００８】
〔形態３〕  形態３の発明は、形態２の印刷制御システムに係り、
前記標準設定判定部により前記設定データ変換部による変換結果が標準設定に適合して
いると判定された場合、前記プリレンダリング部によってレンダリングされたコンテンツ
データと、変換後の印刷装置設定データとを前記印刷装置に送る制御部をさらに備えたこ
とを特徴とする。
この構成によれば、制御部は、前記標準設定判定部により、前記設定データ変換部によ
る変換結果が標準設定に適合していると判定された場合、前記プリレンダリング部によっ
てレンダリングされたコンテンツデータと、印刷装置設定データとを前記印刷装置に送る
ので、全体の処理時間を短縮することができるという効果が得られる。
【０００９】
〔形態４〕  形態４の発明は、形態３の印刷制御システムに係り、
前記制御部は、前記標準設定判定部により前記設定データ変換部による変換結果が標準
設定に適合していないと判定された場合、前記プリレンダリング処理部により、前記設定
データ変換部によって変換された印刷装置設定データに基づいてレンダリング処理を実行
し、このレンダリング処理によって得られたコンテンツデータと、変換後の印刷装置設定
データとを前記印刷装置に送ることを特徴とする。
【００１０】
この構成によれば、制御部は、前記標準設定判定部により前記設定データ変換部による
変換結果が標準設定に適合していないと判定された場合、前記プリレンダリング処理部に
より、前記設定データ変換部によって変換された印刷装置設定データに基づいてレンダリ
ング処理を実行し、このレンダリング処理によって得られたコンテンツデータと、変換後
の印刷装置設定データとを前記印刷装置に送るので、標準設定に適合していない場合でも
、通常の方法によりレンダリング処理を行うことができるという効果が得られる。
【００１１】
〔形態５〕  形態５の発明は、形態１〜４のいずれか１の印刷制御システムに係り、
前記プリレンダリング部によるレンダリング処理結果を保存するレンダリング済みデー
タ保存部をさらに備えたことを特徴とする。
この構成によれば、レンダリング済みデータ保存部を用いてレンダリング処理結果を保
存することができるので、保存されたレンダリング画像を再利用してそのコンテンツデー
タをそのまま印刷装置に送ることができ、全体の処理時間を短縮することができるという
効果が得られる。
【００１２】
〔形態６〕  形態６の発明は、形態５の印刷制御システムに係り、
前記プリレンダリング部におけるレンダリングの処理結果と、利用者が選択した印刷装
置設定データとの内容が異なる場合には、前記レンダリング済みデータ保存部に保存され
ているプリレンダリングの処理結果を再利用することを特徴とする。
この構成によれば、前記プリレンダリング部におけるレンダリングの処理結果と、利用
者が選択した印刷装置設定データとの内容が異なる場合でも、前記レンダリング済みデー
タ保存部に保存されているプリレンダリングの処理結果を再利用することにより、改めて
レンダリングを行う手間を省き、全体の処理時間を短縮できるという効果が得られる。
【００１３】
〔形態７〕  形態７の発明は、形態６の印刷制御システムに係り、
前記プリレンダリングの処理結果を再利用する場合、拡大又は縮小を可能にするために
、入力される印刷ジョブ定義データの仕上がりサイズに適合した解像度を確保しておくこ
とを特徴とする。
この構成によれば、前記プリレンダリングの処理結果を再利用する場合、入力される印
刷ジョブ定義データの仕上がりサイズに合わせた解像度を確保しておくので、前記プリレ
ンダリングの処理結果を拡大又は縮小して再利用する場合においても、縮小した結果が適
切な画像になるという効果が得られる。
例えば、プリレンダリングの処理結果を拡大して再利用する場合には、仕上がりの解像
度が元の解像度よりも低くなることが想定されるので、予め元の解像度を高めに設定すれ
ば、適切な解像度に仕上がるという効果が得られる。
【００１４】
〔形態８〕  形態８の発明は、形態１〜７のいずれか１の印刷制御システムに係り、
前記設定データ変換部は、所定の変換ルールに基づいて、決定的変換を実行する変換処
理又は推論変換を実行する変換処理のいずれか、あるいは、その両方を用いて変換するこ
とを特徴とする。
この構成によれば、前記設定データ変換部は、決定的変換を実行する変換処理、又は、
推論変換を実行する変換処理のいずれか、あるいは、その両方を用いて変換するので、種
々の変換結果を得ることができ、ユーザの所望の印刷装置設定データを得ることができる
という効果が得られる。
また、推論変換を実行する変換処理は、記憶されている変換ルールを用いて、推論ルー
ルの条件に対して入力が完全一致する場合に、この推論ルールを適用するので、適合度の
高い印刷装置設定データを生成することができるという効果が得られる。
【００１５】
さらに、決定的変換を実行する変換方法は、ルールベースの変換を実行し、条件節には
、印刷装置設定データが記述され、帰結節／処理節には、印刷装置設定データが記述され
、このルールの条件説の条件が全て当てはまる時のみ当該ルールを適用し、前記帰結節／
処理節の印刷装置設定データを生成するので、より適合度の高い印刷装置設定データを生
成することができるという効果が得られる。
【００１６】
〔形態９〕  形態９の印刷制御方法は、
印刷ジョブ定義データに含まれる印刷ジョブ仕様データ又は印刷ジョブ設定データを、
印刷装置を設定するために必要な印刷装置設定データに変換する設定データ変換ステップ
と、
前記設定データ変換ステップにおいて、前記印刷ジョブ定義データを前記印刷装置設定
データに変換した後に、当該印刷装置設定データと比較するための標準印刷装置設定デー
タを格納している標準設定データベースと、
前記設定データ変換ステップによる変換処理と並行して、前記標準印刷装置設定データ
に基づいて、レンダリング処理を実行するプリレンダリングステップと、
を含むことを特徴とする
この構成によれば、形態１と同様の効果が得られる。
【００１７】
〔形態１０〕  形態１０の発明は、形態９の印刷制御方法に係り、
前記設定データ変換ステップによる変換結果が、前記標準印刷装置設定データに適合し
ているか否かを判定する標準設定判定ステップをさらに含むことを特徴とする。
この構成によれば、形態２と同様の効果が得られる。
〔形態１１〕  形態１１の発明は、形態１０の印刷制御方法に係り、
前記標準設定判定ステップにより前記設定データ変換ステップによる変換結果が標準設
定に適合していると判定された場合、前記プリレンダリングステップによってレンダリン
グされたコンテンツデータと、変換後の印刷装置設定データとを前記印刷装置に送る制御
ステップをさらに含むことを特徴とする。
【００１８】
この構成によれば、形態３と同様の効果が得られる。
〔形態１２〕  形態１２の発明は、形態１１の印刷制御方法に係り、
前記制御ステップは、前記標準設定判定ステップにより前記設定データ変換ステップに
よる変換結果が標準設定に適合していないと判定された場合、前記プリレンダリング処理
ステップにより、前記設定データ変換ステップによって変換された印刷装置設定データに
基づいてレンダリング処理を実行し、このレンダリング処理によって得られたコンテンツ
データと、変換後の印刷装置設定データとを前記印刷装置に送ることを特徴とする。
この構成によれば、形態４と同様の効果が得られる。
【００１９】
〔形態１３〕  形態１３の発明は、形態９〜１２のいずれか１の印刷制御方法に係り、
前記プリレンダリングステップによるレンダリング処理結果を保存するレンダリング済
みデータ保存ステップをさらに含むことを特徴とする。
この構成によれば、形態５と同様の効果が得られる。
〔形態１４〕  形態１４の発明は、形態１３の印刷制御方法に係り、
前記プリレンダリングステップにおけるレンダリングの処理結果と、利用者が選択した
印刷装置設定データとの内容が異なる場合には、前記レンダリング済みデータ保存ステッ
プに保存されているプリレンダリングの処理結果を再利用することを特徴とする。
この構成によれば、形態６と同様の効果が得られる。
【００２０】
〔形態１５〕  形態１５の発明は、形態１４の印刷制御方法に係り、
前記プリレンダリングの処理結果を再利用する場合、拡大又は縮小を可能にするために
、入力される印刷ジョブ定義データの仕上がりサイズに適合した解像度を確保しておくこ
とを特徴とする。
この構成によれば、形態７と同様の効果が得られる。
【００２１】
〔形態１６〕  形態１６の発明は、形態９〜１５のいずれか１の印刷制御方法に係り、
前記設定データ変換ステップは、所定の変換ルールに基づいて、決定的変換を実行する
変換処理又は推論変換を実行する変換処理のいずれか、あるいは、その両方を用いて変換
することを特徴とする。
この構成によれば、形態８と同様の効果が得られる。
【００２２】
〔形態１７〕  形態１７の印刷制御プログラムは、
印刷ジョブ定義データに含まれる印刷ジョブ仕様データ又は印刷ジョブ設定データを、
印刷装置を設定するために必要な印刷装置設定データに変換する設定データ変換ステップ
と、
前記設定データ変換ステップにおいて、前記印刷ジョブ定義データを前記印刷装置設定
データに変換した後に、当該印刷装置設定データと比較するための標準印刷装置設定デー
タを格納している標準設定データベースと、
前記設定データ変換ステップによる変換処理と並行して、前記標準印刷装置設定データ
に基づいて、レンダリング処理を実行するプリレンダリングステップと、を含むことを特
徴とする。
この構成によれば、形態１と同様の効果が得られる。
【００２３】
〔形態１８〕  形態１８の発明は、形態１７の印刷制御プログラムに係り、
前記設定データ変換ステップによる変換結果が、前記標準印刷装置設定データに適合し
ているか否かを判定する標準設定判定ステップをさらに含むことを特徴とする。
この構成によれば、形態２と同様の効果が得られる。
【００２４】
〔形態１９〕  形態１９の発明は、形態１８の印刷制御プログラムに係り、
前記標準設定判定ステップにより前記設定データ変換ステップによる変換結果が標準設
定に適合していると判定された場合、前記プリレンダリングステップによってレンダリン
グされたコンテンツデータと、変換後の印刷装置設定データとを前記印刷装置に送る制御
ステップをさらに含むことを特徴とする。
この構成によれば、形態３と同様の効果が得られる。
【００２５】
〔形態２０〕  形態２０の発明は、形態１９の印刷制御プログラムに係り、
前記制御ステップは、前記標準設定判定ステップにより前記設定データ変換ステップに
よる変換結果が標準設定に適合していないと判定された場合、前記プリレンダリング処理
ステップにより、前記設定データ変換ステップによって変換された印刷装置設定データに
基づいてレンダリング処理を実行し、このレンダリング処理によって得られたコンテンツ
データと、変換後の印刷装置設定データとを前記印刷装置に送ることを特徴とする。
この構成によれば、形態４と同様の効果が得られる。
【００２６】
〔形態２１〕  形態２１の発明は、形態１７〜２０のいずれか１の印刷制御プログラム
に係り、
前記プリレンダリングステップによるレンダリング処理結果を保存するレンダリング済
みデータ保存ステップをさらに含むことを特徴とする。
この構成によれば、形態５と同様の効果が得られる。
【００２７】
〔形態２２〕  形態２２の発明は、形態２１の印刷制御プログラムに係り、
前記プリレンダリングステップにおけるレンダリングの処理結果と、利用者が選択した
印刷装置設定データとの内容が異なる場合には、前記レンダリング済みデータ保存ステッ
プに保存されているプリレンダリングの処理結果を再利用することを特徴とする。
この構成によれば、形態６と同様の効果が得られる。
【００２８】
〔形態２３〕  形態２３の発明は、形態２２の印刷制御プログラムに係り、
前記プリレンダリングの処理結果を再利用する場合、拡大又は縮小を可能にするために
、入力される印刷ジョブ定義データの仕上がりサイズに適合した解像度を確保しておくこ
とを特徴とする。
この構成によれば、形態７と同様の効果が得られる。
【００２９】
〔形態２４〕  形態２４の発明は、形態１７〜２３のいずれか１の印刷制御プログラム
に係り、
前記設定データ変換ステップは、所定の変換ルールに基づいて、決定的変換を実行する
変換処理又は推論変換を実行する変換処理のいずれか、あるいは、その両方を用いて変換
することを特徴とする。
この構成によれば、形態８と同様の効果が得られる。
【００３０】
〔形態２５〕  上記目的を達成するために、形態２５の印刷システムは、
印刷ジョブ定義データに含まれる印刷ジョブ仕様データ又は印刷ジョブ設定データを、
印刷時に必要な印刷装置設定データに変換する設定データ変換部と、
前記設定データ変換部において、前記印刷ジョブ定義データを前記印刷装置設定データ
に変換した後に、当該印刷装置設定データと比較するための標準印刷装置設定データを格
納している標準設定データベースと、
前記設定データ変換部による変換処理と並行して、前記標準印刷装置設定データに基づ
いて、レンダリング処理を実行するプリレンダリング部と、
前記印刷装置設定データに基づいて実際に印刷を行う印刷部と、
を備えたことを特徴とする。
この構成によれば、形態１と同様の効果が得られる。
【００３１】
〔形態２６〕  形態２６の発明は、形態２５の印刷システムに係り、
前記設定データ変換部による変換結果が、前記標準印刷装置設定データに適合している
か否かを判定する標準設定判定部をさらに備えたことを特徴とする。
この構成によれば、形態２と同様の効果が得られる。
〔形態２７〕  形態２７の発明は、形態２６の印刷システムに係り、
前記標準設定判定部により前記設定データ変換部による変換結果が標準設定に適合して
いると判定された場合、前記プリレンダリング部によってレンダリングされたコンテンツ
データと、変換後の印刷装置設定データとを前記印刷部に送る制御部をさらに備えたこと
を特徴とする。
この構成によれば、形態３と同様の効果が得られる。
【００３２】
〔形態２８〕  形態２８の発明は、形態２７の印刷システムに係り、
前記制御部は、前記標準設定判定部により前記設定データ変換部による変換結果が標準
設定に適合していないと判定された場合、前記プリレンダリング処理部により、前記設定
データ変換部によって変換された印刷装置設定データに基づいてレンダリング処理を実行
し、このレンダリング処理によって得られたコンテンツデータと、変換後の印刷装置設定
データとを前記印刷部に送ることを特徴とする。
この構成によれば、形態４と同様の効果が得られる。
【００３３】
〔形態２９〕  形態２９の発明は、形態２５〜２８のいずれか１の印刷システムに係り
、
前記プリレンダリング部によるレンダリング処理結果を保存するレンダリング済みデー
タ保存部をさらに備えたことを特徴とする。
この構成によれば、形態５と同様の効果が得られる。
【００３４】
〔形態３０〕  形態３０の発明は、形態２９の印刷システムに係り、
前記プリレンダリング部におけるレンダリングの処理結果と、利用者が選択した印刷装
置設定データとの内容が異なる場合には、前記レンダリング済みデータ保存部に保存され
ているプリレンダリングの処理結果を再利用することを特徴とする。
この構成によれば、形態６と同様の効果が得られる。
【００３５】
〔形態３１〕  形態３１の発明は、形態３０の印刷システムに係り、
前記プリレンダリングの処理結果を再利用する場合、拡大又は縮小を可能にするために
、入力される印刷ジョブ定義データの仕上がりサイズに適合した解像度を確保しておくこ
とを特徴とする。
この構成によれば、形態７と同様の効果が得られる。
【００３６】
〔形態３２〕  形態３２の発明は、形態２５〜３１のいずれか１の印刷システムに係り
、
前記設定データ変換部は、所定の変換ルールに基づいて、決定的変換を実行する変換処
理又は推論変換を実行する変換処理のいずれか、あるいは、その両方を用いて変換するこ
とを特徴とする。
この構成によれば、形態８と同様の効果が得られる。
【発明を実施するための最良の形態】
【００３７】
以下、図面を参照して、本発明の実施形態に係る印刷制御装置について説明する。なお
、本実施形態においては、各処理部は通信可能に接続されてなるもので、それぞれの処理
部が独立の装置であっても、複数の装置に各処理部が分散されて配置されても、あるいは
、単一の装置に全ての処理部が含まれていても良い。
図１は、本発明の実施形態に係る印刷制御装置の構成を示すブロック図である。
【００３８】
この印刷制御装置１は、印刷ジョブ定義データ分離部１１と、設定データ変換部１２と
、標準設定データベース１３ａ，１３ｂと、制御部１４と、レンダリング部１５と、レン
ダリング済みデータ保存部１６とを備え、印刷装置２０に接続されているが、印刷装置２
０とは直接接続されても良く、あるいはネットワークなどを介して接続されても良く、さ
らには、離隔してこの印刷制御装置１にて作成した結果を外部記録媒体などを介して印刷
装置２０に伝達するようにしても良い。
【００３９】
次に、各部の機能について説明する。
印刷ジョブ定義データ分離部１１は、外部（ユーザなど）装置から入力された印刷デー
タを受付け、受け取った印刷データから印刷ジョブ定義データを分離する。その際、印刷
データにはコンテンツデータ及び印刷ジョブ定義データが含まれているが、その境界は明
確ではないので抽出する作業が必要となる。
【００４０】
設定データ変換部１２は、印刷ジョブ定義データ分離部１１により分離された印刷ジョ
ブ定義データを印刷装置用の印刷装置設定データに変換する。この変換は、決定的変換を
実行するものでも、推論変換を実行するものでも良い。決定的変換とは、ｉｆ−ｔｈｅｎ
ルールベースの変換を実行し、条件節（ｉｆ文）には、印刷ジョブ定義データの条件が記
述され、帰結節／処理節（ｔｈｅｎ文）には、印刷装置設定データの全部あるいはその一
部が記述されており、このルールの条件節の条件が全て当てはまる時のみルールを適用し
て帰結節／処理節の印刷装置設定データを生成する。推論変換とは、印刷ジョブ定義デー
タを入力とし、印刷装置設定データを出力とし、記憶されている変換ルール（入力に対し
て出力を対応させるものであり、ｉｆ−ｔｈｅｎルールやニューラルネットワークなどで
表現されている。）を用いて、推論ルールの条件に対して入力が完全一致する場合に、こ
の推論ルールを適用して印刷装置設定データを生成する。
【００４１】
標準設定データベース１３ａ，１３ｂは、設定データ変換部１２又はレンダリング部１
５において、当該印刷装置設定データと比較するための標準印刷装置設定データを格納し
ている標準設定データベースである。
レンダリング部１５は、設定データ変換部１２における変換を待たずに、印刷装置設定
データの標準設定に基づき、印刷データに含まれているコンテンツデータに対し、標準設
定データベース１３ｂに格納されている標準印刷装置設定データに基づいて、レンダリン
グ処理又はプリレンダリング処理を行う。
【００４２】
レンダリング済データ保存部１６は、レンダリング部１５にてレンダリング処理又はプ
リレンダリング処理が行われた後の印刷ジョブ設定データの保存を行う。
制御部１４は、印刷ジョブ定義データ１１、設定データ変換部１２、レンダリング１５
における動作を制御し、最終的に設定された印刷ジョブ設定データを印刷装置２０に対し
て出力する。
【００４３】
以上の構成により、設定データ変換部１２により、印刷ジョブ定義データに含まれる印
刷ジョブ仕様データ又は印刷ジョブ設定データを、印刷装置を設定するために必要な印刷
装置設定データに変換し、この印刷装置設定データが、標準設定データベース１３ａに格
納されている標準印刷装置設定データと同じであれば、プリレンダリング部１５により、
設定データ変換部１２による変換処理と並行して、標準印刷装置設定データに基づいて、
レンダリング処理を実行するので、印刷装置設定データの変換の処理時間を活用してプリ
レンダリングを行うことができ、これにより、印刷指示から印字出力までの全体の所要時
間を短縮することができる。
【００４４】
なお、入力されるデータは、コンテンツデータと印刷ジョブ定義データとから構成され
、コンテンツデータとは、アプリケーションソフトが出力する印刷データや、ページ記述
言語（ＰＤＦ：Ｐｏｒｔａｂｌｅ  Ｄｏｃｕｍｅｎｔ  Ｆｏｒｍａｔ）やＰｏｓｔＳｃｒ
ｉｐｔ（米国Ａｄｏｂｅ  Ｓｙｓｔｅｍｓ社の商標）など）によって記述されるデータで
ある。また、印刷ジョブ定義データは、ＤＰＡ（Ｄｏｃｕｍｅｎｔ  Ｐｒｉｎｔｉｎｇ  
Ａｐｐｌｉｃａｔｉｏｎ）やＪＤＦ（Ｊｏｂ  Ｄｅｆｉｎｉｔｉｏｎ  Ｆｏｒｍａｔ）な
どによって記述され、印刷に関わるデータである。
本実施形態では、上記構成の印刷制御装置において、印刷ジョブ定義データとコンテン
ツデータとを含む印刷データを入力とした場合の実施形態について説明する。
【００４５】
図２は、コンピュータシステムのハードウェア構成を示す機能ブロック図である。
ここで、この印刷制御装置１は、印刷ジョブ定義データ分離部１１と、設定データ変換
部１２と、標準設定ＤＢ（データベース）１３ａ，１３ｂと、制御部１４と、レンダリン
グ部１５と、レンダリング済みデータ保存部１６と、などをソフトウェア上で実現するた
めのコンピュータシステムを備えており、そのハードウェア構成は、図２に示すように、
各種制御や演算処理を担う中央演算処理装置であるＣＰＵ（Ｃｅｎｔｒａｌ  Ｐｒｏｃｅ
ｓｓｉｎｇ  Ｕｎｉｔ）６０と、主記憶装置（Ｍａｉｎ  Ｓｔｏｒａｇｅ）を構成するＲ
ＡＭ（Ｒａｎｄｏｍ  Ａｃｃｅｓｓ  Ｍｅｍｏｒｙ）６２と、読み出し専用の記憶装置で
あるＲＯＭ（Ｒｅａｄ  Ｏｎｌｙ  Ｍｅｍｏｒｙ）６４との間をＰＣＩ（Ｐｅｒｉｐｈｅ
ｒａｌ  Ｃｏｍｐｏｎｅｎｔ  Ｉｎｔｅｒｃｏｎｎｅｃｔ）バスやＩＳＡ（Ｉｎｄｕｓｔ
ｒｉａｌ  Ｓｔａｎｄａｒｄ  Ａｒｃｈｉｔｅｃｔｕｒｅ）バス等からなる各種内外バス
６８で接続すると共に、このバス６８に入出力インターフェース（Ｉ／Ｆ）６６を介して
、ＨＤＤ（Ｈａｒｄ  Ｄｉｓｋ  Ｄｒｉｖｅ）などの外部記憶装置（Ｓｅｃｏｎｄａｒｙ
Ｓｔｏｒａｇｅ）７０や、印刷手段やＣＲＴ、ＬＣＤモニター等の出力装置７２、操作
パネルやマウス、キーボード、スキャナなどの入力装置７４、および図示しない印刷指示
装置などと通信するためのネットワークＬなどを接続したものである。
【００４６】
そして、電源を投入すると、ＲＯＭ６４等に記憶されたＢＩＯＳ等のシステムプログラ
ムが、ＲＯＭ６４に予め記憶された各種専用のコンピュータプログラム、あるいは、ＣＤ
−ＲＯＭやＤＶＤ−ＲＯＭ、フレキシブルディスク（ＦＤ）などの記憶媒体を介して、ま
たはインターネットなどの通信ネットワークＬを介して記憶装置７０にインストールされ
た各種専用のコンピュータプログラムを同じくＲＡＭ６２にロードし、そのＲＡＭ６２に
ロードされたプログラムに記述された命令に従ってＣＰＵ６０が各種リソースを駆使して
所定の制御および演算処理を行うことで前述したような各手段の各機能をソフトウェア上
で実現できるようになっている。
【００４７】
図３は、本発明の実施形態に係る印刷制御装置の処理の流れを示すフローチャートであ
る。
同図に示すように、ステップＳ１０１において、この印刷制御装置１に印刷データを入
力した後、ステップＳ１０２において、データ分離部１１にて、印刷データから印刷ジョ
ブ定義データを抽出して取得する。この場合、例えば、ＭＩＭＥ（Ｍｕｌｔｉｐｌｅ  Ｉ
ｎｔｅｒｎｅｔ  Ｍａｉｌ  Ｅｘｔｅｎｓｉｏｎｓ：インターネットの電子メール用プロ
トコル）エンコードされたデータならば、ＭＩＭＥデコード分離する。また、印刷ジョブ
定義データとコンテンツデータとが別々のデータとして入力された場合は、それぞれのデ
ータブロックに特徴的な部分を検出することによってデータの種類を認識し、取り出す。
【００４８】
次に、ステップＳ１０３に移行して、レンダリング部１５にて、標準設定データベース
１３ｂに格納されている標準設定に基づき、コンテンツデータに対して、プリレンダリン
グ処理を開始を指示する。レンダリング結果は、データベースに保存される。
次に、ステップＳ１０４に移行して、設定データ変換部１２にて、取得した印刷ジョブ
定義データを印刷装置設定データに変換する。その際、印刷ジョブ定義データを、印刷を
実行する際のパラメータに変換し、その変換過程において元仕様に対する評価値を算出し
、複数の変換候補を作成する。
【００４９】
そして、ステップＳ１０５において、標準設定データベース１３ａを参照し、変換され
た印刷装置設定データが標準設定のものと同様のものか否かを判定し、標準設定と異なる
場合は、ステップＳ１０６に移行して、レンダリング部１５にて、変換された印刷装置設
定データに基づいたレンダリング処理を指示する。
また、ステップＳ１０５において、標準設定と同様の場合、ステップＳ１０７に移行し
、レンダリング処理の終了を確認する。終了していない場合は、その終了を待って、レン
ダリング処理の結果を利用する。
【００５０】
そして、ステップＳ１０８において、制御部１４にて、印刷装置設定データとコンテン
ツデータとを印刷装置２０に送出する。そして、この印刷制御装置１における処理を終了
するが、印刷まで含む場合は、ステップＳ１０９において印刷装置２０において実際の印
刷を実行する。
また、上記ステップＳ１０３におけるプリレンダリング処理の開始の指示を受け取った
レンダリング部１５では、ステップＳ１１０において、標準設定データベース１３ｂに格
納されている標準設定に基づき、コンテンツデータに対して、プリレンダリング処理を行
い、ステップＳ１１２において、レンダリング後のデータをレンダリング済みデータ保存
部に保存して終了する。従って、プリレンダリング処理と並行してステップＳ１０４にお
ける設定データ変換部による変換処理が実行されることになる。
【００５１】
また、上記ステップＳ１０６において、変換された印刷装置設定データに基づいたレン
ダリング処理の指示を受け取ったレンダリング部１５では、ステップＳ１１１において、
変換された印刷装置設定データに基づいたレンダリング処理を実行し、ステップＳ１１２
において、レンダリング後のデータをレンダリング済みデータ保存部に保存して終了する
。なお、プリレンダリング結果を再利用する場合には、レンダリング画像の拡大／縮小を
実行した後、保存するようにする。
【００５２】
なお、プリレンダリングの実行内容としては、印刷ジョブ定義データのデフォルト設定
での実行、印刷ジョブ定義データ変換処理に同期して実行することが好ましい。例えば、
用紙サイズや面付け処理が異なる場合には、プリレンダリング結果の画像データを拡大／
縮小することで、データの再利用を行う。この場合には、プリレンダリング時の解像度を
予め高めに設定することが望ましい。すなわち、入力される印刷ジョブ定義データの仕上
がりサイズに合わせた解像度とすると好ましい。例えば、印刷装置設定データの標準設定
では、印刷用紙サイズがＡ５となっていても、入力された印刷ジョブ定義データの仕上が
りサイズがＡ４であれば、Ａ４サイズにてプリレンダリングしておくと、再利用時に必要
な解像度を確保しておくことができるというメリットがある。
【００５３】
このように、プリレンダリングの処理結果を再利用する場合、入力される印刷ジョブ定
義データの仕上がりサイズに合わせた解像度を確保しておくと、プリレンダリングの処理
結果を拡大又は縮小して再利用する場合においても、縮小した結果が適切な画像になる。
以上説明したように、印刷ジョブ定義データの設定や、印刷装置設定データ変換後の利
用者確認に要する時間は、利用者がユーザインタフェース等で対話的に処理する時間であ
り、この時間は印刷制御装置が待ち状態となっている。従って、この時間を利用したプリ
レンダリングを行うことで、印刷指示から印字出力までのトータル時間を短縮することが
可能となる。
【００５４】
なお、レンダリングとは、数値データとして与えられた物体や図形に関する情報を計算
によって画像化することであり、一般的には３次元グラフィックスを描画することを指す
ことが多いが、広義にはデータの可視化一般をレンダリングと言う。例えばＨＴＭＬ（Ｈ
ｙｐｅｒ  Ｔｅｘｔ  Ｍａｒｋｕｐ  Ｌａｎｇｕａｇｅ）データを解釈してＷｅｂブラウ
ザが画面表示を行なうことなどもレンダリングと呼ぶ場合がある。３次元グラフィックス
のレンダリングでは、視点の位置や、光源の数や位置、種類、物体の形状や頂点の座標、
材質を考慮して陰面消去や陰影付けなどを行って画像を作成する。
なお、本実施形態においては、各処理部は通信可能に接続されてなるもので、それぞれ
の処理部が独立の装置であっても、複数の装置に各処理部が分散されて配置されても、あ
るいは、単一の装置に全ての処理部が含まれていても良い。
【００５５】
図４は、入力される印刷データの一例を示す図である。（ａ）はコンテンツデータ、（
ｂ）は印刷ジョブ定義データを示している。
図４（ａ）に示すように、入力される印刷データに含まれるコンテンツデータの一例と
して、「壱」、「弐頁」、「参頁」、「四頁」という内容のコンテンツデータがある。コ
ンテンツデータは、印刷ジョブ定義データに関連つけられた文書データのことをいい、印
刷仕様に基づいた印刷処理の対象となる電子的な文書データを言う。関連付けの方法は、
印刷ジョブ定義データの中に直接文書データが埋め込まれていても良いし、印刷ジョブ定
義データとは別の場所に配置され、印刷ジョブ定義データの中にそのＵＲＬ（Ｕｎｉｆｏ
ｒｍ  Ｒｅｓｏｕｒｃｅ  Ｌｏｃａｔｏｒ）やファイルパス等の文書データの所在のみが
記載されていても良い。また、文書データ全ページだけでなく、特定のページのみ関連つ
けられていても良い。
【００５６】
また、図４（ｂ）に示すように、入力される印刷データに含まれる印刷ジョブ定義デー
タの一例として、「仕上がりサイズ：Ａ４」、「紙の向き：縦」、「製本２つ折り、左」
、「コンテンツページサイズ：Ａ４」という印刷ジョブ定義データがある。この印刷ジョ
ブ定義データは、本実施形態では、印刷処理によって最終生成物として所望する印刷物の
仕様が記載された情報を言う。具体的には、例えば、上述した仕上がりサイズ（仕上がり
用紙サイズ）、印刷媒体の種類（普通紙、コピー紙など）、折り方および断裁方法、綴じ
位置、綴じ方、印刷部数、両面印刷方法、並びに使用するインクに関する情報などが含ま
れる。印刷ジョブ仕様データは、最終成果物の仕様のみ記述すればよいが、この印刷ジョ
ブ定義データのみでは印刷装置を稼動させることはできず、何らかの形で印刷ジョブ仕様
データから印刷装置を稼動させるための仕様、すなわち、印刷装置設定データに変換する
必要がある。
【００５７】
図５は、印刷装置設定データ及び出力イメージの一例を示す図である。
上述したように、印刷を実行するためには、印刷ジョブ定義データを印刷装置用の印刷
装置設定データに変換する必要がある。具体的には、面付け、折り、断裁を経て仕上がり
用紙サイズになるように、用紙の一面に複数ページを割り付けて印刷する際に用いる用紙
のサイズ、面付け方法、面付けにおける詳細な座標情報、折り方法及び断裁位置に関する
情報が含まれる。これは、例えば、仕上がりの体裁を、「Ａ４サイズのコンテンツデータ
を２つ折でＡ４に仕上げる」と指定した場合、「Ａ３の用紙の各面の２ページずつ面付け
してプリントアウトとする」ことを意味している。また、印刷装置設定デーや含まれる設
定情報の中には印刷ジョブ定義データと重複する情報もある。
【００５８】
図５（ａ）に示す例では、印刷装置設定データとしては、「用紙サイズ：Ａ３」、「紙
の向き：横」、「両面印刷：ＯＮ」、「拡大／縮小：ＯＦＦ」、「割付頁数：４」、「頁
レイアウト（ｐａｇｅ，ｓｈｅｅｔ，ｆａｃｅ，ｘ，ｙ）：（１，１、１，５９５，０）
（２，１，２，０，０）（３，１，２，５９５，０）（４，１，１，０，０）」というデ
ータが記述されている。
【００５９】
図５（ｂ）は、図５（ａ）に示した印刷装置設定データに従って、図４（ａ）に示した
コンテンツデータを変換して出力する時のイメージ図である。図の矢印の元（上段）の図
は、図４（ａ）と同じ図であり、変換後に図の矢印の先（下段）の図のように配列される
。下段の左右において左側は第１面（ｆａｃｅ  １）、右側は第２面（ｆａｃｅ  ２）を
示している。図５（ａ）の印刷装置設定データでは、頁レイアウトの要素として、ページ
番号、枚数、面番号、ｘ座標、ｙ座標が上げられ、これらをまとめて、（ｐａｇｅ，ｓｈ
ｅｅｔ，ｆａｃｅ，ｘ，ｙ）と表示し、１頁から４頁まで、（１，１，１，５９５，０）
、（２，１，２，０，０）、（３，１，２，５９５，０）、（４，１，１，０，０）と記
述されている。従って、ｆａｃｅ、（ｘ，ｙ）座標を取ると、図５（ｂ）の下段のような
コンテンツデータになる。すなわち、変換前（上段）には、横に順に、「壱頁」、「弐頁
」、「参頁」、「四頁」と配列されていたものが、変換後（下段）には、第１面の左側に
「四頁」、右側に「壱頁」、第２面の左側に「弐頁」、右側に「参頁」と配列されている
。
【００６０】
図６は、印刷装置設定データの候補の一覧表を示す図である。
同図に示すように、項目番号１，２，３として、それぞれ、差異情報、注意点、用紙サ
イズ、紙の向き、両面印刷、拡大／縮小、割付ページ数、頁レイアウト（ｐａｇｅ，ｓｈ
ｅｅｔ，ｆａｃｅ，ｘ，ｙ）が掲載されている。そして、項目番号１については差異情報
「仕様通り」、注意点「無し」、用紙サイズ「Ａ３」、紙の向き「横」、両面印刷「ＯＮ
」、拡大／縮小「ＯＦＦ」、割付ページ数「４」、頁レイアウト「（１，１、１，５９５
，０）（２，１，２，０，０）（３，１，２，５９５，０）（４，１，１，０，０）」と
掲載され、項目番号２については差異情報「用紙サイズ」、注意点「綴じ部分に注意」、
用紙サイズ「Ａ４」、紙の向き「横」、両面印刷「ＯＮ」、拡大／縮小「ＯＦＦ」、割付
ページ数「２」、頁レイアウト「…」と掲載され、項目番号３については差異情報「拡大
／縮小」、注意点「仕上がりサイズが縮小」、用紙サイズ「Ａ４」、紙の向き「横」、両
面印刷「ＯＮ」、拡大／縮小「５０％」、割付ページ数「４」、頁レイアウト「…」と掲
載されている。これら項目番号１、２、３は、実際に用いる印刷装置設定データの候補と
なるもので、その評価を示す数字として「合致度」が掲載され、項目番号１については「
３」、項目番号２については「２」項目番号３については「２」となっている。これいよ
り、合致度の高い項目番号１の印刷装置設定データが選択され、選択された印刷装置設定
データは、前述した標準印刷装置設定データと比較され、同じものであれば、プリレンダ
リングされる。
【００６１】
以上説明したように、本発明は、プリレンダリング部１５により、設定データ変換部１
２による変換処理と並行して、標準印刷装置設定データに基づいて、レンダリング処理を
実行するので、印刷指示から印字出力までの全体の所要時間を短縮することができる。
なお、上記実施形態において、図３のフローチャートに示す処理を実行するにあたって
は、ＲＯＭに予め格納されている制御プログラムを実行する場合について説明したが、こ
れに限らず、これらの手順を示したプログラムが記録された記憶媒体から、そのプログラ
ムをＲＡＭに組み込んで実行するようにしても良い。あるいは、そのプログラムをネット
ワークから取得しても良い。
【００６２】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
以上、本発明の実施形態について説明してきたが、本発明は、上記実施形態に限定され
ることなく、本発明の趣旨を逸脱することなく、種々の変更が可能である。
【００６３】
例えば、設定データ変換部１２にて変換された印刷装置設定データの結果に対して、利
用者に対して確認を行う仕組みを有していても良い。
また、印刷装置設定データの標準設定とは、入力される印刷ジョブ定義データの種別毎
、たとえば、仕上がりサイズごとに複数用意されていても良い。
また、印刷装置設定データの標準設定とは、頻繁に使用される設定を予め保存して利用
するような利用形態でも良い。
【図面の簡単な説明】
【００６４】
【図１】本発明の実施形態に係る印刷制御システムの構成を示すブロック図である。
【図２】ハードウェア構成を示すブロック図である。
【図３】本発明の実施形態に係る印刷制御システムの処理の流れを示すフローチャートである。
【図４】入力される印刷データの一例を示す図である。（ａ）はコンテンツデータ、（ｂ）は印刷ジョブ定義データを示す。
【図５】印刷装置設定データ及び出力イメージの一例を示す図である。
【図６】印刷装置設定データの候補を示す図である。
【符号の説明】
【００６５】
１…印刷制御システム、１１…印刷ジョブ定義データ分離部、１２…設定データ変換部、
１３ａ，１３ｂ…標準設定データベース、１４…制御部、１５…レンダリング部、１６…
レンダリング済みデータ保存部、２０…印刷装置
【図１】
2008204030.tif 000003
【図２】
2008204030.tif 000004
【図３】
2008204030.tif 000005
【図４】
2008204030.tif 000006
【図５】
2008204030.tif 000007
【図６】
2008204030.tif 000008